(57)【要約】【課題】利用者がベッドの組み立て時に、楽な姿勢で簡単にボトム固定ができることを特徴とするベッド装置のボトム固定構造を提供する。【解決手段】ボトム１２を支える上部フレーム１０に、該ボトム１２を固定するためのベッド装置のボトム固定構造である。前記ボトム１２に固定するボトム固定部５１と、前記上部フレーム１０に固定するフレーム固定部５２とを備えた固定部材を備える。前記上部フレーム１０は、前記固定部材５０のフレーム固定部５２のピン５８を受ける固定受け部である挿通孔１１を備える。前記ボトム１２は、前記固定部材５０のフレーム固定部５２を嵌挿し、前記フレーム固定部５２のピン５８を前記上部フレーム１０の挿通孔１１へ案内するガイド穴４１と、前記ボトム固定部５１の固定突起５６を受けるボトム固定穴４３を備える。【選択図】図４
2014217517.tif 000002
【特許請求の範囲】
【請求項１】
ボトムを支えるフレームに、該ボトムを固定するためのベッド装置のボトム固定構造において、
前記ボトムに固定するボトム固定部と、前記フレームに固定するフレーム固定部とを備えた固定部材を備え、
前記フレームは、前記固定部材のフレーム固定部を受ける固定受け部を備え、
前記ボトムは、前記固定部材のフレーム固定部を嵌挿し、前記フレーム固定部を前記フレームの固定受け部へ案内するガイド穴と、前記ボトム固定部を受けるボトム固定受け部を備えたことを特徴とするベッド装置のボトム固定構造。
【請求項２】
前記固定部材のフレーム固定部はピンを備え、
前記フレームの固定受け部は、前記ピンを挿通させる挿通孔であることを特徴とする請求項１に記載のベッド装置のボトム固定構造。
【請求項３】
前記固定部材のフレーム固定部は、上板の下側に突設して形成されており、前記ボトムのガイド穴に嵌挿したときに、前記上板がボトムの上面に載置されて、前記フレーム固定部が前記フレームの固定受け部に位置するように配置されていることを特徴とする請求項１又は２に記載のベッド装置のボトム固定構造。
【請求項４】
前記ボトムのボトム固定受け部は、前記固定部材のフレーム固定部が前記フレームの固定受け部に固定されたときに、前記ボトム固定部を受ける位置に設けたことを特徴とする請求項１から３いずれか一項に記載のベッド装置のボトム固定構造。
【発明の詳細な説明】
【技術分野】
【０００１】
本発明は、ベッドのボトムをフレームに固定するベッド装置のボトム固定構造に関するものである。
【背景技術】
【０００２】
介護や医療のための背上げ、脚上げ等の起伏動作を行うベッドは、ボトムを、複数の部位、例えば背ボトム、腰ボトム、膝ボトム、足ボトムに分割し、それらを相互に屈曲可能に連結することにより、又はそれらの一部をボトムを支持するフレームに回動可能に支持することにより、それらを屈曲可能とした構成を基本的な構成としている。
【０００３】
ベッドの起伏動作にボトムが追随して動作し、ズレを起こさないようにボトムをフレームに固定する必要がある。例えば、特許文献１に開示されているように、ピンなどを用いて、ボトムをフレームに固定する手法がある。
【０００４】
図６はピンによりボトムをフレームに固定する説明図である。この図はベッドの下側から見た図である。フレーム１０１にはピン留め用の貫通孔が側面に設けてある。一方、この貫通孔に対応する位置にボトム１０２にも、固定穴１０３が設けられた突片１０４が形成されている。ベッドを組み立てる場合、利用者は、ボトム１０２の裏面にある位置決め部材（図示せず）をフレームの所定の位置に載置することにより位置決めをする。そして、ベッドの側面下側を見て、フレーム１０１の貫通孔とボトム１０２の固定穴１０３の位置が合っていることを確認してＬ字ピン１０５を挿通する。図６（ｂ）の示すように、Ｌ字ピン１０５がフレーム１０１及びボトム１０２の突片１０４を貫通した時点で、スナップピン１０６を装着して固定する。
【先行技術文献】
【特許文献】
【０００５】
【特許文献１】特開２０００−３３４００２号公報
【発明の概要】
【発明が解決しようとする課題】
【０００６】
しかしながら、このような構成であると、利用者はベッドの側面下側をのぞき込んでフレームの貫通孔とボトムの固定穴が合っていることを確認しなければならず、さらにその姿勢でピン固定を行う必要があり、不便であった。
【０００７】
特に、在宅介護用ベッドにおいては、レンタルによる使用も多く、一般家庭に持ち込んで簡単に組み立てができることが重要な要素である。
【０００８】
本発明は、斯かる実情に鑑み、利用者がベッドの組み立て時に、楽な姿勢で簡単にボトム固定ができることを特徴とするベッド装置のボトム固定構造を提供することを目的とするものである。
【課題を解決するための手段】
【０００９】
本発明は、ボトムを支えるフレームに、該ボトムを固定するためのベッド装置のボトム固定構造において、前記ボトムに固定するボトム固定部と、前記フレームに固定するフレーム固定部とを備えた固定部材を備え、前記フレームは、前記固定部材のフレーム固定部を受ける固定受け部を備え、前記ボトムは、前記固定部材のフレーム固定部を嵌挿し、前記フレーム固定部を前記フレームの固定受け部へ案内するガイド穴と、前記ボトム固定部を受けるボトム固定受け部を備えたことを特徴とするものである。
【００１０】
また、本発明のベッド装置のボトム固定構造において、前記固定部材のフレーム固定部はピンを備え、前記フレームの固定受け部は、前記ピンを挿通させる挿通孔であることを特徴とする。
【００１１】
また、本発明のベッド装置のボトム固定構造において、前記固定部材のフレーム固定部は、上板の下側に突設して形成されており、前記ボトムのガイド穴に嵌挿したときに、前記上板がボトムの上面に載置されて、前記フレーム固定部が前記フレームの固定受け部に位置するように配置されていることを特徴とする。
【００１２】
また、本発明のベッド装置のボトム固定構造において、前記ボトムのボトム固定受け部は、前記固定部材のフレーム固定部が前記フレームの固定受け部に固定されたときに、前記ボトム固定部を受ける位置に設けたことを特徴とする。
【発明の効果】
【００１３】
本発明のベッド装置のボトム固定構造によれば、固定部材をベッド装置の上側から取付けることによりボトムとフレームを固定することができ、利用者が無理な姿勢でボトムとフレームを固定する作業をすることなく、簡単に固定作業をすることができる。
【図面の簡単な説明】
【００１４】
【図１】（ａ）は本発明の実施形態に係るボトムが載置されるベッド装置の概略斜視図、（ｂ）は該ボトムの斜視図である。
【図２】ボトムの全体平面図である。
【図３】（ａ）は固定部材の平面図、（ｂ）は固定部材の側面図、（ｃ）は固定部材の底面図である。
【図４】（ａ）は装着前の固定部材とボトムの説明図、（ｂ）はボトムのガイド穴部に装着した直後の固定部材の上側から見た説明図、（ｃ）はボトムのガイド穴部に装着した直後の固定部材の下側から見た説明図である。
【図５】（ａ）は固定部材をスライドしてフレームにピンを挿入したときの上側から見た説明図、（ｂ）は固定部材をスライドしてフレームにピンを挿入したときの上側から見た説明図、（ｃ）は固定部材を腰ボトムに固定したときの説明図である。
【図６】（ａ）は従来のボトムとフレームのピン固定におけるピンの挿通を示す説明図、（ｂ）は従来のボトムとフレームのピン固定におけるスナップピン装着を示す説明図である。
【発明を実施するための形態】
【００１５】
以下、本発明の実施形態について、添付図面を参照して説明する。
【００１６】
図１（ａ）は本発明に係るボトムが搭載されるベッド装置の全体斜視図、（ｂ）がボトムの斜視図である。
【００１７】
図１、図２に示すように、ベッド装置において、それに寝た状態の使用者の頭が向く頭側を符号「Ｈ」、該使用者の足が向く足側を符号「Ｆ」で示す。
【００１８】
図１（ａ）に示すように、ベッド装置は、主に、頭側及び足側に端部が向く長さ方向が幅方向よりも長い概略ラダー状構造の上部フレーム１０と、該上部フレーム１０上に載置されるボトム１２と、この上部フレーム１０の頭側及び足側の下部にそれぞれ設けられた、フロア面上に対して前記上部フレーム１０を昇降可能に支持する頭側昇降部１４Ｈ及び足側昇降部１４Ｆとを備えている。
【００１９】
上部フレーム１０の頭側及び足側の各部の下面側には、前記頭側昇降部１４Ｈ及び足側昇降部１４Ｆの上端部に当該上部フレーム１０を設置するための、前記ベッド装置の幅方向に長い概略矩形枠状の枠フレーム１６がそれぞれ固定されている。
【００２０】
図示しないが、昇降部１４Ｈ及び１４Ｆの下端同士は、連結フレームによって着脱可能に連結される。また、前記昇降部１４Ｈ及び１４Ｆにはそれぞれアクチュエータが設けられ、各アクチュエータの駆動力が別々に制御する構成であり、各アクチュエータの駆動制御によって上部フレーム１０が頭側及び足側同士の上下位置に差が付く傾動動作をさせることができる。
【００２１】
また、上部フレーム１０には、頭側に背上げ用のロッドと、中央部付近に膝上げ用のロッドが設けられている。またそれらを駆動するアクチュエータも設けられている。
【００２２】
図１〜図３に示すように、ボトム１２は、マットレス（概略を図１に符号「１８」で示す）を載せた状態で、使用者の荷重を支えるものである。ボトム１２は、使用者が頭と背を支える背ボトム１２ａ、腰を支える腰ボトム１２ｂ、腰から膝までを支える膝ボトム１２ｃ、膝から先の足を支える足ボトム１２ｄの各板状部からなる。
【００２３】
図１に示すように、背ボトム１２ａと足ボトム１２ｄの側面２箇所ずつにマットレス止め１５を配している。このマットレス止めは、マットの側方からマットを抑えてズレを防ぐ役割を負っている。また、背ボトム１２ａと足ボトム１２ｄの側面部にはマットレス止め１５を取付ける凹部１７が設けられている。
また、腰ボトム１２ｂの幅方向に２箇所に、後述する固定部材を装着することによってボトム１２を上部フレーム１０に固定するための固定部材装着部４０が形成されている。
【００２４】
実施形態のベッド装置の上部フレーム１０には、その上部フレーム１０に備えられたボトム１２を起伏可能とする機構が設けられている。つまり、背上げ用のロッドでボトム１２の背ボトム１２ａを背上げ作動可能であると共に、膝上げ用のロッドで膝ボトム１２ｃ及び足ボトム１２ｄを膝上げ作動や足上げ作動が可能に構成されている。
【００２５】
ここで、ボトム１２は、背ボトム１２ａ、腰ボトム１２ｂ、膝ボトム１２ｃ、足ボトム１２ｄのそれぞれが厚みのある樹脂製の板材からなり、後に詳述するように各部の上面に凹所２０が凹んで形成されている。
【００２６】
該凹所２０形成箇所には、ボトム１２表面から裏面にかけての貫通孔２２が複数形成されている。これら複数の貫通孔２２はボトム１２の幅方向及び長さ方向に配列されている。前記貫通孔２２は、形状や個数が適宜であるが、実施形態では、図１（ｂ）に示すように、前記貫通孔２２は、幅方向に複数の円形、長円形（長軸が幅方向に沿う）を並べ、それらがボトム１２の長さ方向に複数配列されて形成されている。
【００２７】
また、前記ボトム１２には、上面に凹所２０が凹んで形成され、その凹所２０はボトム１２の幅方向中央部に形成される。具体的に、ボトム１２においては、背ボトム１２ａ、腰ボトム１２ｂ、膝ボトム１２ｃ、足ボトム１２ｄに連続する領域に凹所２０が凹んで形成されている。そして、ボトム１２の表面に、凹所２０は、全体的にボトム１２の周縁を残して形成されている。
【００２８】
背ボトム１２ａは単一部材として形成されている（図２参照）。背ボトム１２ａは、上部フレーム１０の回動自在な背上げ用ロッドに固定され、背上げ動作が可能となっている。背ボトム１２ａの表面には、腰ボトム側端部から湾曲部ボトム２８全体が収まる連結用凹み３０が形成されている。
【００２９】
また、各部のうちの腰ボトム１２ｂ、膝ボトム１２ｃ、及び足ボトム１２ｄが所要部であり、それら同士が連結部２４によって連結されて、全体が単一部材にて構成されている。該連結部２４が前記所要部と同材質でかつ所要部よりも薄く一体に形成されたものであり、腰ボトム１２ｂと膝ボトム１２ｃの間、膝ボトム１２ｃと足ボトム１２ｄの間に配置されている。腰ボトム１２ｂ、膝ボトム１２ｃ、及び足ボトム１２ｄの単一部材は、上部フレーム１０に位置決め固定されている。例えば、腰ボトム１２ｂの裏面には、位置決め部材が設けてあり、それによって上部フレーム１０の位置決め部に載置することにより位置決めができる。そして、詳しくは後述するが、ボトム１２に形成した固定部材装着部４０に固定部材を装着して上部フレーム１０にボトム１２を固定する。膝ボトム１２ｃや足ボトム１２ｄは、膝上げ動作や足上げ動作を行うので、上部フレーム１０には固定されていない。
【００３０】
前記所要部の腰ボトム１２ｂには、頭側方向に、背ボトム１２ａに摺接して折り曲げ可能に連結する湾曲ボトム２８が延在している。
【００３１】
図３は、固定部材５０の一例を示す外観図である。（ａ）は平面図、（ｂ）は側面図、（ｃ）は底面図である。固定部材５０は、ボトム固定部５１と、フレーム固定部５２とからなる。ボトム固定部５１と、フレーム固定部５２の間には、折れ曲がることができるように切れ込みが形成された屈曲部５３を有している。屈曲部５３は、曲がる構造であればよく、ボトム固定部５１と、フレーム固定部５２との間にヒンジを取付けたものでもよい。ボトム固定部５１の上板部５４には、後述するボトム固定穴４３に嵌合させて固定する固定突起５６が形成されている。フレーム固定部５２は、上板部５５の下方に突設して設けられたピン支持部５７と、そこに装着されたピン５８を備える。
【００３２】
図４及び図５は、固定部材５０によるボトム１２と上部フレーム１０の固定を示す説明図である。
図４（ａ）に示すように、腰ボトム１２ｂには固定部材装着部４０が設けられている。この固定部材装着部４０は、固定部材５０のフレーム固定部５２のピン支持部５７とピン５８を挿通させ、フレーム固定部５２の受け部となる上部フレーム１０の挿通孔１１へ案内するガイド穴４１と、固定部材５０のボトム固定部５１の固定突起５６を嵌合させて固定するボトム固定穴４３が設けられている。ボトム固定部５１の受け部としてのボトム固定穴４３が形成される位置は、ガイド穴４１に案内されて固定部材５０のピン５８が上部フレーム１０の挿通孔１１に挿通し固定されたときに、固定突起５６が嵌合できる位置である。
なお、固定部材５０のボトム固定はこの構造に限るものではなく、例えばボトムにネジ止めしてもよい。この場合は、固定部材５０のボトム固定部５１はネジであり、ボトム１２の固定受け部はネジ穴となる。
【００３３】
ガイド穴４１の周辺部は、固定部材５０の上板５５を載置してスライドさせ、ピン５８を上部フレーム１０の挿通孔１１に案内する凹部４２が形成されている。これは、固定部材５０がボトム１２の上面からできる限り突出しないように設けたものである。ここに固定部材５０を固定部材装着部４０に装着した図が図４（ｂ）、（ｃ）である。図４（ｂ）は上側から見た図であり、図４（ｃ）は下側から見た図である。
【００３４】
前述したように、腰ボトム１２ｂ、膝ボトム１２ｃ、及び足ボトム１２ｄが単一部材として形成され、図示しない位置決め部材によって上部フレーム１０に位置決めされている。なお、利用者がガイド穴４１から覗いて、ガイド穴４１と上部フレーム１０の挿通孔１１との位置合わせをすることも可能である。
【００３５】
図４（ｂ）に示すように、固定部材５０のピン支持部５７をガイド穴４１に落とし込むと、上板５５は腰ボトム１２ｂの凹部４２の上面に載置される。ピン５８は、上板５５の下面からピンの中心までの距離が、腰ボトム１２ｂの凹部４２の上面から上部フレーム１０の挿通孔１１までの距離に一致するように、ピン支持部５７に装着されている。図４（ｃ）に示すように、ピン５８は上部フレーム１０の挿通孔１１の入り口に止まっている状態である。そこで、利用者は、固定部材５０の上板５５を固定部材装着部４０の凹部４２に沿って矢印の方向（ピン５８を上部フレーム１０の挿通孔１１に挿入させる方向）にスライドさせる。
【００３６】
図５（ａ）、（ｂ）に示すように、固定部材５０をスライドさせると、ピン５８は上部フレーム１０の挿通孔１１内に完全に嵌まった状態になる。ここで、ボトム固定部５１の固定突起５６をボトム固定穴４３に嵌合させて腰ボトム１２ｂに固定する（図５（ｃ）参照）。
【００３７】
固定部材５０のピン５８は、上部フレーム１０の挿通孔１１に挿通し、固定部材５０の固定突起５６が腰ボトム１２ｂのボトム固定穴４３に固定される。こうして固定部材５０により、腰ボトム１２ｂは上部フレーム１０に固定される。
【００３８】
ベッド組み立て時において、利用者はボトム１２を上部フレーム１０に位置決めして載置した段階で、ボトム上面から固定部材５０を固定部材装着部４０に装着してボトム１２を上部フレーム１０に固定できるので、従来のように無理な姿勢を強いられることもなく、簡単に固定作業ができる。
【産業上の利用可能性】
【００３９】
本発明のベッド装置のボトムは、在宅介護用ベッド装置、施設介護用ベッド装置、病院用ベッド装置等各種ベッド装置のボトムに利用することができる。
【符号の説明】
【００４０】
１０  上部フレーム
１１  挿通孔
１２  ボトム
１２ａ  背ボトム
１２ｂ  腰ボトム
１２ｃ  膝ボトム
１２ｄ  足ボトム
４０  固定部材装着部
４１  ガイド穴
４２  凹部
４３  ボトム固定穴
５０  固定部材
５１  ボトム固定部
５２  フレーム固定部
５３  屈曲部
５４，５５  上板
５６  固定突起
５７  ピン支持部
５８  ピン
【図１】
2014217517.tif 000003
【図２】
2014217517.tif 000004
【図３】
2014217517.tif 000005
【図４】
2014217517.tif 000006
【図５】
2014217517.tif 000007
【図６】
2014217517.tif 000008